(57)【要約】【課題】性能劣化を起こさず、安定した運転を行うことが出来る磁場回転式電磁ポンプを得る。【解決手段】磁場回転式電磁ポンプは、部分円筒形の流路１の一端側が流入側流路５に連なり、その他端側に流出側流路６が連なり、前記部分円筒形の流路１の中に、同流路１の円周方向に流入側流路５から流出側流路６に向けて回転移動する磁界を形成する誘導子２又は２’を配置したものであって、流入側流路５と流出側流路６とが一体構造であり、その内部の流入側流路５と流出側流路６と間に隔壁８が設けられている。【選択図】図１
2015023640.tif 000002
【特許請求の範囲】
【請求項１】
部分円筒形の流路（１）の一端側が流入側流路（５）に連なり、その他端側に流出側流路（６）が連なり、前記部分円筒形の流路（１）の中に、同流路（１）の円周方向に流入側流路（５）から流出側流路（６）に向けて回転移動する磁界を形成する誘導子（２）又は（２’）を配置した磁場回転式電磁ポンプにおいて、流入側流路（５）と流出側流路（６）とが一体構造であり、その内部の流入側流路（５）と流出側流路（６）と間に隔壁（８）が設けられていることを特徴とする一体流路構造を有する磁場回転式電磁ポンプ。
【請求項２】
前記流入側流路（５）と流出側流路（６）の温度差によって発生する応力が許容応力以下の温度範囲で、隔壁（８）の材質及び壁厚は、それぞれ部分円筒形の流路（１）の材質と同じ非磁性鋼で、壁厚が１．６から２．３倍であることを特徴とする請求項１に記載の一体流路構造を有する磁場回転式電磁ポンプ。
【請求項３】
前記流入側流路（５）及び／又は流出側流路（６）の部分円筒形の流路（１）に連なる部分の外側に、内圧に抗する補強部材（９）を設けたことを特徴とする請求項１又は２に記載の一体流路構造を有する磁場回転式電磁ポンプ。
【請求項４】
前記部分円筒形の流路（１）の外側に、内圧に抗する補強部材（１０）を設けたことを特徴とする請求項１〜３の何れかに記載の一体流路構造を有する磁場回転式電磁ポンプ。
【発明の詳細な説明】
【技術分野】
【０００１】
本発明は、導電性流体を搬送する形式の電磁ポンプに関し、円筒形の流路の中にその円周方向に回転移動する磁界を形成して同流路の中の導電性流体に電磁誘導による推力を与え、特に部分円筒形の流路の両端側に流入側流路と流出側流路とがそれぞれ連なったΩ形の流路を有する一体流路構造を有する磁場回転式電磁ポンプに関するものである。
【背景技術】
【０００２】
溶融金属等の導電性流体に推力を与えて搬送する駆動ポンプには、シールされた軸受を介して流路の外部にあるモータにより駆動されるインペラを同流路の中で回転させて機械的に導電性流体に推力を与える機械式ポンプと、流路の中に移動磁界を与えて、この移動磁界により流路の中の導電性流体に電磁力による推力を与えるシール部分を必要としない電磁式ポンプとがある。
【０００３】
シール部分を必要とする機械式ポンプは、シール部分からの導電性流体の漏れが起こる可能性があるという欠点がある。水銀を除く導電性流体の多くは融点が常温以上であり、融点が高い溶融金属の場合に、シール軸受部分に耐熱性の点で限界がある。これに対して、電磁ポンプはインペラに機械的な駆動力を伝えるシール付き軸受等の摺動部分が無いため、常温以上の溶融金属の搬送に適している。
【０００４】
導電性流体を搬送する電磁ポンプには多くの種類があるが、原理は何れも導電性流体に磁界と電流を与えて電磁力を発生させ、この電磁力で導電性流体に推力を発生させ、導電性流体を駆動するものである。電磁ポンプは、流路に磁界を形成しておいて、この磁界と直交する方向に設けた電極から直接導電性流体に電流を流す形式の導電型電磁ポンプと、流路に電極を設けず、移動磁界により誘発される誘導電流と移動磁界による電磁力によって導電性流体に推力を与える誘導型電磁ポンプとに大別される。
【０００５】
前者の導電型電磁ポンプは、流路の電気抵抗が低いことや、低電圧の大電流の電源回路が必要なため、大型の電源装置を必要とする欠点がある。このため、通常の導電性流体用の電磁ポンプでは、後者の誘導型電磁ポンプが多く使用されている。
【０００６】
図４は、導電性流体の流路１２が真っ直ぐに設けられ、この流路１２を挟んでヨーク１４にコイル１３を巻いた誘導子１１を設けた誘導型電磁ポンプである。この構造は、いわばリニアモータと同じ形式になっている。この形式の誘導型電磁ポンプは、流路１２の製作が容易であり、誘導子１１の製作も容易である。しかし、流路１２が真っ直ぐであるため、より大きな駆動力を得るためには、流路１２の全体が長くなってしまう欠点がある。
【０００７】
図５は、例えば、下記の特許文献１に記載されたような、環状流路形のリニア誘導方式の導電性流体用の誘導型電磁ポンプの例である。ヨーク２４に複数のコイル２３を巻いて直列に配列した誘導子２２を流路２１の回りに配置し、流路２１内にその長手方向に移動する磁界を発生させる。この環状流路形の誘導型電磁ポンプでは、流路２１の内部に、前記誘導子２２で発生した移動磁界の磁路となるコア２５を配置している。これにより、流路２１内に磁路を形成して移動磁界の磁気分布を均一にする。コア２５は磁性体をセラミックや金属等の保護管で覆ったものである。このコア２５はスペーサにより流路２１の中心軸上に保持されており、このコア２５と流路２１との間が環状の液体金属の流路となる。この形式の誘導型電磁ポンプもまた、流路２１が真っ直ぐであるため、流路１２の全体が長くなってしまう欠点がある。
【０００８】
図６は、やはり下記の特許文献１に記載されたような、流路３２を螺旋状に形成し、この流路３２の螺旋の中にロータ３１を配置し、このロータ３１をモータ３５で回転するものである。ロータ３１を円柱形または円筒形とし、その周囲に管体をコイル状に曲げた流路３２を巻いている。流路３２の両端は流入部３３と流出部３４となっており、コイル状の流路３２の両端からロータ３１の側方に延びている。ロータ３１はモータ３５により回転される。さらに、コイル状の流路３２の外周側は円筒形の磁性体からなるヨーク３８で覆われている。
【０００９】
また図７は、やはり流路３２を螺旋状に形成し、この螺旋状の流路３２の外側に円筒形のロータ３８’を配置し、これをモータ３５で回転する形式の誘導型電磁ポンプである。図６のロータ３１に代えて、磁性体の円筒形状のヨーク３１’をロータ３８’の中心に配置し、その周囲にコイル状に曲げた流路３２を巻いている。流路３２の両端の流入部３３と流出部３４は、ロータ３８’の一端側の中空軸を通してロータ３８’の外に引き出しいる。流出部３４は、ヨーク３１’の中心を貫通している。
【００１０】
図８（ａ）は、図６により前述した誘導型電磁ポンプに使用するロータ３１の例を示す断面図である。円筒形の鉄材等の磁性体からなる内部コア４４の周囲に複数の永久磁石４２が等角度間隔で配置されている。これら永久磁石４２は、ロータ３１の放射方向に磁極が交互に異なる方向に向くように配置されている。すなわち、内部コア４４の外周側には放射方向にわたってＮ極とＳ極とが交互に配置され、外枠４５の内周側には放射方向にわたってＳ極とＮ極とが交互に配置されている。永久磁石４２の間は、耐放射線性に優れた樹脂材料や無機材料等からなる非磁性の充填材４３が充填されている。さらにこれら永久磁石４２と充填剤４３の外周には、オーステナイト系ステンレス等の非磁性金属からなる管状の外枠４５が嵌め込まれ、全体が円筒形になるように固定されている。内部コア４４が磁性体で、外枠４５が非磁性体になっているため、磁界は永久磁石４２によって外向きに放射状に発生し、ヨーク３８によってさらに強められる構造となっている。前出したモータ３５は、このロータ３１に連結されている。
【００１１】
図８（ｂ）は、図７により前述した誘導型電磁ポンプに使用するロータ３８’の例を示す断面図である。オーステナイト系ステンレス等の非磁性金属からなる管状の内枠４９の周囲に複数の永久磁石４６が等角度間隔で配置されている。これら永久磁石４６は、ロータ３８’の放射方向に磁極が交互に異なる方向に向くように配置されている。この点は、図８（ａ）により前述したロータ３１と基本的に同じである。永久磁石４６の間は、耐放射線性に優れた非磁性の樹脂材料や無機材料等からなる充填材４７が充填されている。さらにこれら永久磁石４６と充填剤４７の外周には、円筒形の鉄材等の磁性体からなる外部コア４８が嵌め込まれ、全体が円筒形になるように固定されている。磁界は、外部コア４８が磁性体で、内枠４９が非磁性体になっているため、永久磁石４６によって内向きに放射状に発生し、ヨーク３１’によってさらに強められる構造と成っている。前述したモータ３５はこのロータ３８’に連結されている。
【００１２】
このような形式の誘導型電磁ポンプの利点は、永久磁石を用いることにより、製作が難しい電磁コイルを使用する必要が無いことである。このような螺旋形流路を有する誘導型電磁ポンプは、製作上及び設置容積上の観点から流路の流路断面積を大きくとれないが、導電性流体の流れの方向には磁界が作用する長さを長く取れるので、低流量で高圧の電磁ポンプとして利用するのに適当である。
【００１３】
これに対し、円筒形の流路の中にその円周方向に回転移動する磁界を形成して同流路の中の導電性流体に電磁誘導による推力を与え、搬送する形式の電磁ポンプは、設置スペースが狭い等の利点がある。このような形式の電磁ポンプは、例えば、図９に示すように、部分円筒形の流路５１の一端側に流入側流路５５があり、その他端側に流出側流路５６があり、前記部分円筒形の流路５１の中に、同流路５１の円周方向に流入側流路５５から流出側流路５６に向けて回転移動する磁界を形成する誘導子５２又は５２’を配置したものである。誘導子５２は、磁石を組み合わせたもので、それ自身がモータ等で回転させられるものである。他方、誘導子５２’は、コイルが埋め込まれ、コイルに３相交流を流して回転磁界を得るものである。このような電磁ポンプの部分円筒形の流路５１は、部分円筒形の流路５１の両端側に流入側流路５５と流出側流路５６が連なっているため、Ω形の流路（尺取り虫が縮んだ時のような形状の流路）を形成している。
【００１４】
このΩ形の流路を有する誘導型電磁ポンプは、設置空間が狭い場合に用いることが出来る。しかしこの形式の誘導型電磁ポンプは、部分円筒形の流路５１が部分円筒形であるため、捩れや振動しやすいという欠点と、部分円筒形の流路５１に圧力が掛かるとΩ形ダクトは一直線になろうとして、部分円筒形の流路５１の流入側流路５５と流出側流路５６に連なる両端側の伸縮が大きいという欠点がある。その対策として、図９に示すように、部分円筒形の流路５１の流入側流路５５と流出側流路５６に連なる両端側を機械的に固定する補強部材５８を設けている。
【００１５】
しかしながら、この補強部材５８も金属であり、回転磁界による誘導電流のため渦電流が発生し、発熱すると云う新たな問題が発生する。この発熱時に補強部材５８に過大な熱応力が発生することにより、早期の補強部材５８の破損が起こる。また、この補強部材５８が加熱されると、誘導子５２、５２’も加熱されるため、永久磁石を使用した回転する誘導子５２及び溝６１を持ったヨーク６０に誘導コイル５９が嵌合され、この誘導コイル５９に三相交流を通して回転磁界を発生する形式の誘導子５２’も温度が急激に上がる。このため、前者の永久磁石を用いた誘導子５２の場合、キュリー点が低いネオジウム系磁石では、磁力が失われる消磁現象を起こすことがある。また後者の誘導コイル５９に移動磁界を形成する誘導子５２’の場合、誘導コイル５９の焼損が起こることがある。
【００１６】
また、Ω形の流路を形成するダクトは、部分円筒形の流路５１の切れ目の補強部材５８で部分円筒形の流路５１とは違った渦電流が発生し、その部分の負荷が部分円筒形の流路５１に発生する負荷と違ってしまう。このため、部分円筒形の流路５１の負荷が一部において不均一になり、これが部分円筒形の流路５１の振動の主な原因である。補強部材５８が無い場合は、この部分での負荷は発生しないが、前述した様に部分円筒形の流路５１に圧力が掛かると一直線になろうとするので、補強部材５８が入る隙間が広がって、更に部分円筒形の流路５１の円周方向で負荷が不連続となって部分円筒形の流路５１に振動が発生しやすい。もちろん、部分円筒形の流路５１の前後の他の部分における振動が部分円筒形の流路５１に伝播することも部分円筒形の流路５１の振動の要因ではある。
【００１７】
この部分円筒形の流路５１の振動を防止するためには、例えば図９により前述したような補強部材５８を相当厚くしなければならない。しかしながら、この補強部材５８を厚くし、渦電流を部分円筒形の流路５１の全体で均一化し、負荷特性を部分円筒形の流路５１の全体で平準化した場合、補強部材５８に過熱が生じる。この結果、補強部材５８での熱応力が大きくなり、誘導子のコイルの焼損や永久磁石の温度上昇に伴う減磁や消磁を招き、誘導型電磁ポンプの性能の低下を招くことになる。
【特許文献１】特開２００７−７４８３７号公報
【特許文献２】特開２００４−３０４８９３号公報
【特許文献３】特開平０５−４２３５７号公報
【発明の開示】
【発明が解決しようとする課題】
【００１８】
本発明はこのような従来のΩ形の流路を有する誘導型電磁ポンプにおける課題に鑑み、早期の性能劣化を起こさず、安定した運転を行うことが出来る磁場回転式電磁ポンプを提供することを目的とする。
【課題を解決するための手段】
【００１９】
本発明では、前記の目的を達成するため、部分円筒形の流路１の両端の流入側流路５と流出側流路６を一体化し、その間に隔壁８を設けた構造とすることで、隔壁８を有する仕切部分を部分円筒形の流路１を流れる導電性流体で冷却出来る構造としたものである。
【００２０】
すなわち本発明による磁場回転式電磁ポンプは、部分円筒形の流路１の一端側が流入側流路５に連なり、その他端側に流出側流路６が連なり、前記部分円筒形の流路１の中に、同流路１の円周方向に流入側流路５から流出側流路６に向けて回転移動する磁界を形成する誘導子２又は２’を配置したものであって、流入側流路５と流出側流路６とが一体構造であり、その内部の流入側流路５と流出側流路６と間に隔壁８が設けられているものである。
【００２１】
このような本発明による磁場回転式電磁ポンプでは、部分円筒形の流路１の流入側流路５と流出側流路６とが一体化されているので、部分円筒形の流路１の両端部分に負荷の不均一状態が発生しにくい。しかも、磁場回転式電磁ポンプの運転に伴い、部分円筒形の流路１の両端部分の間に設けられた隔壁８が絶えず導電性流体が流れることによって冷却されるので、その部分の温度の上昇が抑えられる。
【００２２】
前記隔壁８の部分は、部分円筒形の流路１の中で導電性流体の流れの方向が変わる変曲点であり、導電性流体の流れが当たる部分であるため、導電性流体の圧力を受けやすく、厚くする必要がある。しかし、流入側流路５と流出側流路６の温度差によって発生する応力が許容応力以下の温度範囲で、隔壁８の材質は、部分円筒形の流路（１）の材質と同じ非磁性鋼で、隔壁８の冷却性を高めた壁厚は、部分円筒形の流路１の壁厚の１．６から２．３倍とすることが好ましい。その一例として、解析結果を示しながら説明する。
【００２３】
前記隔壁８の部分は、誘導電流による発熱と出入口の導電性流体温度を表裏に受けるため、熱応力が発生する。隔壁８の部分が薄いと表裏の温度差による熱応力が顕著に発生し、厚いと誘導電流による発熱による応力発生が顕著になる。隔壁８の厚みは、部分円筒形の流路１の板材厚みの２倍が最適である。それを証明する為に熱応力解析を行った結果を図１０に示す。導電性流体の入口温度と出口温度の温度差をΔｔとし、内圧に０．９MPa掛けた場合の解析である。その結果、厚さが部分円筒形の流路１の壁厚３mmの２倍のところで極小となった。よって隔壁８の壁厚は部分円筒形の流路１の壁厚さの２倍程度が好ましい。
【００２４】
Ω形の流路は、内圧が掛かると一直線になろうとする力が働くので、前記流入側流路５及び／又は流出側流路６の部分円筒形の流路１に連なる部分の外側に、内圧に抗する補強部材９を設けることが好ましい。このため、その部分の外側を拘束するような補強部材９を設けることで、部分円筒形の流路1の壁厚を過大にしなくて済む。
【００２５】
一般に電磁ポンプは、流路の壁を薄くして流路における渦電流損失を小さくして効率を上げるようにしている。この場合、流路の壁厚が薄くなった分だけ流路の壁の強度は低下するので、前記部分円筒形の流路１の外側に、内圧に抗する補強部材１０を設けことが好ましい。この部分は、内側から外側に、すなわち部分円筒形の流路１のカーブの曲率半径方向に放射状に導電性流体の圧力が加わる部分である。そのため、Ω形流路は一直線の流路になろうとして変形するので、その部分の外側に補強部材１０を設けることで、やはり部分円筒形の流路１の壁厚を過大にしなくて済む。
【発明の効果】
【００２６】
以上説明した通り、本発明による磁場回転式電磁ポンプでは、流路に発生する渦電流による負荷の不均一、流路の振動、その過熱に伴う誘導子の焼損や性能劣化を防止することが出来るので、安定した磁場回転式電磁ポンプの運転が可能となる。
【発明を実施するための最良の形態】
【００２７】
本発明では、前記の目的を達成するため、部分円筒形の流路１の両端がそれぞれ流入側流路５と流出側流路６に連なり、前記部分円筒形の流路１の中に、同流路１の円周方向に流入側流路５から流出側流路６に向けて回転移動する磁界を形成する誘導子２又は２’を配置した磁場回転式電磁ポンプについて、部分円筒形の流路１の両端の流入側流路５と流出側流路６を一体化し、その間に隔壁８を設けた。
以下、本発明を実施するための最良の形態について、実施例をあげて詳細に説明する。
【００２８】
図１は、本発明によるΩ形の流路（尺取り虫が縮んだ時のような形状の流路）を有する磁場回転式電磁ポンプの例を部分開削して流路内部が見えるように示した概念斜視図である。このような形式の磁場回転式電磁ポンプは、水銀や溶融鉛ビスマス等の低融点の導電性流体を流すために使用される。
【００２９】
磁場回転式電磁ポンプには、部分円筒形の流路１があり、その一端側は流入側流路５に連なり、その他端側は流出側流路６に連なっている。符合３は流入側流路５の流入口であり、符合４は流出側流路６の流出口である。これら流入口３と流出口４には、それぞれ図示してない前後の流路が接続される。流入側流路５と流出側流路６の長さは適宜変更が可能である。
【００３０】
ここで図１に示すように、部分円筒形の流路１の一端側の流入側流路５と他端側の流出側流路６とは、部分円筒形の流路１と共に一体のダクト構造となっていると共に、流入側流路５と他端側の流出側流路６との間の内部に隔壁８が設けられている。この隔壁８により、ダクトの内部において流入側流路５と流出側流路６とが分けられている。従って、流入側流路５から流れてくる導電性流体は、この隔壁８により流出側流路６には流れず、部分円筒形の流路１に流れ込む。さらに、部分円筒形の流路１から流れ出る導電性流体は、前記隔壁８により流入側流路５には逆流せず、流出側流路６へと流れ出る。図１０は、流入側流路５と流出側流路６の温度差があるときに、隔壁８の壁厚さが部分円筒形の流路１の壁厚さ３ｍｍに対して隔壁の圧さを変えた場合に生じる応力を示したグラフである。隔壁の材質をステンレス鋼で考えた場合、この隔壁８の壁厚は、部分円筒形の流路１の壁厚の１．６から２．３倍とする事が望ましい。
【００３１】
前記の部分円筒形の流路１の中心部分には、図示した誘導子２、２’の何れかが配置される。一方の誘導子２は、円筒或いは円柱形を呈しており、その円周方向に所要の間隔で永久磁石を外周側の磁極Ｓ極とＮ極が交互になるよう配置した構造となっている。この誘導子２を部分円筒形の流路１の中空部分の中に配置し、これをモータ７で回転することにより、部分円筒形の流路１の中にその円周方向に回転移動する移動磁界を形成する。
【００３２】
他方の誘導子２’は、やはり円筒或いは円柱形を呈しており、その円周方向に所要の間隔で電磁石を配置した構造となっている。この電磁石に三相交流等による交番磁界を与え、部分円筒形の流路１の中にその円周方向に回転移動する移動磁界を形成する。交番磁界の周波数は図示してないインバータにより可変する。
【００３３】
図２は、本発明の他の実施例による磁場回転式電磁ポンプの例を部分開削して流路内部が見えるように示した概念斜視図である。この実施例による磁場回転式電磁ポンプでは、流入側流路５と流出側流路６との間の隔壁８の両側面、すなわち、その隔壁８の流入側流路５と流出側流路６に向いた面を流入側流路５から部分円筒形の流路１に至る部分と部分円筒形の流路１から流出側流路６に至る部分の形状に従った曲面としている。これにより、その隔壁８の部分での導電性流体の流れを円滑となる。
【００３４】
図３は、本発明のさらに他の実施例による磁場回転式電磁ポンプの例を部分開削して流路内部が見えるように示した概念斜視図である。この実施例による磁場回転式電磁ポンプでは、流入側流路５と流出側流路６の部分円筒形の流路１に連なる部分の外側に、流路内圧に抗する補強部材９、９を設けている。この補強部材９、９は、円柱状のもので、流入側流路５と流出側流路６の部分円筒形の流路１に連なる部分の外側の曲面形状に対応した形状となっている。より具体的に言うと、円柱状の補強部材９、９の長さは、流路１、５、６の幅と同じかやや長く、その半径は、流入側流路５と流出側流路６の部分円筒形の流路１に連なる部分の外側の曲面の曲率半径と同じかやや小さい。この補強部材９、９を流入側流路５と流出側流路６の部分円筒形の流路１に連なる部分の両外側にそれぞれ嵌め込む。
【００３５】
さらに、この両側の補強部材９、９は、それらの中心に貫通した角形ループ状の連結部材１１で互いに連結されている。図３において、この角形ループ状の連結部材１１の裏面側は陰になっていて見えないが、部分円筒形の流路１の両端部分を囲んでいる。この角形ループ状の連結部材１１により、両側の補強部材９、９が流入側流路５と流出側流路６の部分円筒形の流路１に連なる部分の外側の曲面部分に嵌まり込んだ状態で固定されている。
【００３６】
この流入側流路５と流出側流路６の部分円筒形の流路１に連なる部分は、図３に矢印で示すように、その内側から外側に、すなわち流路のカーブの曲率半径方向にその中心に向けて導電性流体の圧力が加わる部分である。そのため、その部分の外側を拘束するように前記の補強部材９、９を設けることで、Ω形流路が一直線的な流路になろうとする力を押えることになり、その部分の過大な拉げ応力を避けることが出来る。補強部材９を片側だけに設ける場合は、円筒形の流路１を固定し、円筒形の流路１の架台とは別の架台に取り付けられた補強部材９を押し当てる様にして、部分円筒形の流路１から流出側流路６に連なるカーブの外側面だけに設けるとよい。電磁ポンプにおいて流出側流路６の側は流路内で駆動圧力（出力）が最も押し上げられた導電性流体の流れが直接当たる側であり、そちらの補強がより重要である。
【００３７】
またこの図３に示した磁場回転式電磁ポンプの例では、前記部分円筒形の流路１の外側に、内圧に抗する補強部材１０を設けている。補強部材１０は、部分円筒形の流路１の外側に張り出したリブ状のものである。この補強部材１０は、可能ならば部分円筒形の流路１と一体として設けるか、或いは部分リング状の部材を部分円筒形の流路１の外周側に溶接して取り付ける。図３では陰になって見えないが、この補強部材１０の両端は、前記の補強部材９、９に設けた溝の中に嵌め込んで固定してある。図示の補強部材１０は１つであるが、必要に応じて部分円筒形の流路１の幅方向に分けて複数設けることも出来る。
【００３８】
この部分円筒形の流路１には、内側から外側に、すなわち流路１のカーブの曲率半径方向に放射状に導電性流体の圧力が加わる部分である。そのため、その部分の外側に補強部材１０を設けることで、やはり流路１に生じる応力を緩和することが出来る。
【００３９】
なお、図２と図３に示した磁場回転式電磁ポンプの例において、他の部分は図１により前述した磁場回転式電磁ポンプの例と同じであり、同じ部分は同じ符合を付している。その説明は省略する。なお、図２と図３では、誘導子２、２’の図示を省略しているが、図１により前述した磁場回転式電磁ポンプの例と同様に誘導子２又は２’が必要であることは言うまでもない。
【産業上の利用可能性】
【００４０】
本発明は、Ω形の流路を有する電磁ポンプであって、特に水銀や溶融鉛ビスマス等の低融点の導電性流体を流すために使用される磁場回転式電磁ポンプにおいて、性能劣化を起こさず、安定した運転を行うことを可能とする技術として適用可能である。
【図面の簡単な説明】
【００４１】
【図１】本発明によるΩ形の流路を有する磁場回転式電磁ポンプの例を部分開削して流路内部が見えるように示した概念斜視図である。
【図２】本発明の他の実施例による磁場回転式電磁ポンプの例を部分開削して流路内部が見えるように示した概念斜視図である。
【図３】本発明の他の実施例による磁場回転式電磁ポンプの例を部分開削して流路内部が見えるように示した概念斜視図である。
【図４】リニア型の電磁ポンプの従来例を示した概念斜視図である。
【図５】環状流路形のリニア誘導方式の導電性流体用の誘導型電磁ポンプの例を部分開削して流路内部が見えるように示した概念斜視図である。
【図６】螺旋状の流路を有する導電性流体用の誘導型電磁ポンプの従来例を部分開削して流路内部が見えるように示した概念斜視図である。
【図７】螺旋状の流路を有する導電性流体用の誘導型電磁ポンプの他の従来例を部分開削して流路内部が見えるように示した概念斜視図である。
【図８】図６や図７に示した螺旋状の流路を有する導電性流体用の誘導型電磁ポンプに使用するロータの例を示す断面図である。
【図９】従来のΩ形流路を有する磁場回転方式電磁ポンプの例を部分開削して流路内部が見える様にした概念斜視図である。
【図１０】図２と図３に示した磁場回転式電磁ポンプの例において、隔壁の壁厚さに対する隔壁に生じる応力のグラフである。
【符号の説明】
【００４２】
１    部分円筒形の流路
２    誘導子
２’  誘導子
５    流入側流路
６    流出側流路
８    隔壁
９    補強部材
１０  補強部材
【図１】
2015023640.tif 000003
【図２】
2015023640.tif 000004
【図３】
2015023640.tif 000005
【図４】
2015023640.tif 000006
【図５】
2015023640.tif 000007
【図６】
2015023640.tif 000008
【図７】
2015023640.tif 000009
【図８】
2015023640.tif 000010
【図９】
2015023640.tif 000011
【図１０】
2015023640.tif 000012